【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
生体から少なくとも１つの組織サンプルを採取するための生検デバイスであって、
本体内に導かれるのに適した遠位端を備えた中空針と、
少なくとも１つの組織サンプルを切断するための切断機構と、
少なくとも１つの切断された組織サンプルを受け取るための空洞部を備えたサンプル受取りデバイスであって、上記中空針内に受け入れ可能であり、その内部で可動であるサンプル受取りデバイスと、
キャビティを有する前記サンプル受け取りデバイスが尖端位置にあり、かつ請求項ンき切断機構が前記少なくとも１つの組織サンプルを切断できる、延長した第１の位置と、キャビティを有する前記サンプル受け取りデバイスが基端位置にある、後退した第２の位置
との間で上記中空針内でサンプル受取りデバイスを移動させるための搬送デバイスであって、曲げ可能な長手部材を備えた搬送デバイスと、を有している生検デバイス。
【請求項２】
上記針は、該中空針内にて共通して延びる長手空洞部を規定する長手方向に延びる環状本体を規定する請求項１記載の生検デバイス。
【請求項３】
サンプル受取りデバイス内の空洞部は、側面の開口部を有する請求項１又は２に記載の生検デバイス。
【請求項４】
上記長手部材が、上記中空針の長手方向から離れるように曲がり可能可である請求項１〜４のいずれか一に記載の生検デバイス。
【請求項５】
更に、上記曲げ可能な長手部材を巻き上げる巻上げデバイスを有している請求項４記載の生検デバイス。
【請求項６】
上記巻上げデバイスが、上記デバイスの近位端に配置されている請求項５記載の生検デバイス。
【請求項７】
上記曲げ可能な生検デバイスが、鋼線を有している請求項１〜６のいずれか一記載の生検デバイス。
【請求項８】
上記鋼線が、２つ又はそれ以上のツイストワイヤである請求項７記載の生検デバイス。
【請求項９】
上記曲げ可能な長手部材が、非環状断面の長手方向に延びる部分を有している請求項１〜８のいずれか一に記載の生検デバイス。
【請求項１０】
上記長手部材は、規則的に隔てられた歯の列を有するとともに、上記中空針内で長手部材を移動させるために、上記デバイスが、長手部材の歯と相互作用するための歯を備えたリムを有する回転可能なギヤホイールを有している請求項１〜９のいずれか一に記載の生検デバイス。
【請求項１１】
上記サンプル受取りデバイスが、旋回ジョイントにより上記曲げ可能な長手部材に固定される／取り付けられる請求項１〜１０のいずれか一に記載の生検デバイス。
【請求項１２】
上記中空針が、その遠位端における円周切断縁部を有している請求項１〜１１のいずれか一に記載の生検デバイス。
【請求項１３】
上記サンプル受取りデバイスが、該サンプル受取りデバイスが針の遠位端から突出する突出位置と、上記サンプル受取りデバイスが中空針内に収納され、また、デバイスの遠位端が上記円周縁部により規定される後退位置との間で、上記中空針に相対して可動である請求項１２記載の生検デバイス。
【請求項１４】
上記サンプル受取りデバイスは、上記中空針の長さより短い長さを有し、また、上記曲げ可能な長手部材の遠位端が、上記サンプル受取りデバイスの近位端に取り付けられ、上記曲げ可能な長手部材が、上記サンプル受取りデバイスの中空針内での動作をもたらし得る請求項１〜１３のいずれか一に記載の生検デバイス。
【請求項１５】
更に、動力源及び上記搬送デバイスを駆動させるモータを備えたハンドルユニットを有しており、上記搬送デバイス，上記中空針及びサンプル受取りデバイスが、上記ハンドルユニットに取り外し可能に固定される１回使い切りユニット内に構成されている請求項１〜１４のいずれか一に記載の生検デバイス。
【請求項１６】
上記巻上げデバイスが、上記１回使い切りユニット内に構成されている請求項４又は１５に記載の生検デバイス。
【請求項１７】
上記巻上げデバイスが、螺旋をなす少なくとも１つの壁部材を有し、該壁部材が、上記曲げ可能な長手部材の巻上げ位置間での接触が防止されるように配置されている請求項４〜１６のいずれか一に記載の生検デバイス。
【請求項１８】
上記中空針，上記切断機構，上記搬送デバイス及びハンドルユニットが、手持ち式ユニット内に構成されている請求項１〜１７のいずれか一に記載の生検デバイス。
【請求項１９】
上記サンプル受取りデバイスは、動作軸に沿って上記中空針内で可動であり、また、上記中空針及びサンプル受取りデバイスの少なくとも一方が、上記動作軸に実質的に垂直な平面において、上記中空針に対して上記サンプル受取りデバイスを方向付けするように構成されている請求項１〜１８のいずれか一に記載の生検デバイス。
【請求項２０】
上記サンプル受取りデバイス及び中空針が、上記動作軸に実質的に垂直な平面における上記サンプル受取りデバイスと中空針との間における相対的な回転変位が防止されるように形状付けられている請求項１〜１９のいずれか一に記載の生検デバイス。
【請求項２１】
更に、掃出し用液体を有するのに適した液体供給ユニットであって、液体を利用した掃出しによる組織サンプルの取出しを可能とすべく、中空の液体搬送部材を介して、上記サンプル受取りデバイスの空洞部に動作可能に接続される液体供給ユニットを有している請求項１〜２０のいずれか一に記載の生検デバイス。
【請求項２２】
更に、上記サンプル受取りデバイスの空洞部内で吸引効果をもたらすためのバキュームポンプであって、上記サンプル受取りデバイス内で長手方向に延びる経路を介して、該サンプル受取りデバイスの空洞部と流体のやり取りを可能とするバキュームポンプを有している請求項１〜２１のいずれか一に記載の生検デバイス。
【請求項２３】
疑わしい組織の塊で又はその近傍で身体組織を貫通するために、中空針及びサンプル受取りデバイスを遠位方向に長手方向に沿って変位させるための第１のユーザが操作可能な発射機構と、
採取場所での残りの身体組織から組織サンプルを切断するために、中空針を、サンプル受取りデバイスが中空針の遠位端から突出する第１の位置から、中空針がサンプル受取りデバイスの空洞部を収納する第２の位置まで遠位方向に長手方向に沿って変位させるための第２のユーザが操作可能な発射機構と、有している請求項１〜２２のいずれか一に記載の生検デバイス。
【請求項２４】
上記サンプル受取りデバイスが、上記中空針内で、伸張した第１の位置と後退した第２の位置との間で可動であり、更に、上記搬送デバイスの動作を制御するための、また、上記後退した第２の位置でサンプル受取りデバイスを拘束するための制御システムであって、伸張した第１の位置と後退した第２の位置との間の距離を自動的に検出するように配置されている制御システムを有している請求項１５記載の生検デバイス。
【請求項２５】
生体から少なくとも１つの組織サンプルを採取するための生検デバイス用の１回使い切りのユニットであって、
体内に導入されるのに適した遠位端を備えた中空針と、
少なくとも１つの組織サンプルを切断するための切断機構と、
少なくとも１つの切断済みの組織サンプルを受け取るための空洞部を備えたサンプル受取りデバイスであって、中空針内に受け入れられ該中空針内で可動であるサンプル受取りデバイスと、
中空針内でサンプル受取りデバイスを移動させるための、曲げ可能な長手部材を備えた搬送デバイスと、
１回使い切りユニットの外側にある動力源を備えた駆動ユニットを有するユニットに、１回使い切りユニットを接続するためのインターフェースであって、搬送デバイスに駆動ユニットの駆動力を伝達するのに適したインターフェースと、を有している生検デバイス。
【請求項２６】
更に、上記曲げ可能な長手部材を巻き上げる巻上げデバイスを有している請求項２５記載の生検デバイス。